(57)【要約】  【課題】  簡単な構成で、紙詰まりの解除を容易にできるようにした画像形成装置を提供する。  【解決手段】  搬送路上で紙詰まりが発生したときに、用紙位置が像担持体である感光体ドラム３１より搬送方向に対して上流側にある場合、即ちレジストローラ対２１近傍にあるレジストセンサ２３のみが検知している場合は、レジストローラ対２１を逆回転させて用紙をレジスト部２０まで戻す。用紙位置が感光体ドラム３１より搬送方向に対して下流側にある場合、即ち転写後搬送路である搬送路Ｂに設けた転写後搬送路センサ３９のみが検知している場合は、搬送路Ｂに設けた搬送ローラ対３６により用紙を排出側に送り出す。転写後搬送路センサ３９及び前記レジストセンサ２３の両方が検知している場合は、上流側の用紙はレジストローラ対２１を逆回転させてレジスト部２０まで戻し、下流側の用紙は搬送ローラ対３６により排出側に送り出す。【選択図】      図１
2005091739.tif 000002
【特許請求の範囲】
【請求項１】
像担持体上に形成された像を用紙に転写して記録を行う画像形成装置において、前記用紙の搬送路上で紙詰まりが生じたときに、前記像担持体より搬送方向に対して上流側にある前記用紙はレジスト側に戻し、前記像担持体より搬送方向に対して下流側にある前記用紙は排出側に送り出すようにして成ることを特徴とする画像形成装置。
【請求項２】
前記像担持体の上流側にある前記用紙を検知する第１のセンサと、前記像担持体の下流側にある前記用紙を検知する第２のセンサとを備え、前記第１のセンサが検知したときに、レジストローラを逆回転させて前記上流側の用紙をレジスト側まで戻し、前記第２のセンサが検知したときに、搬送ローラを正回転させて前記下流側の用紙を排出側に送り出すようにして成ることを特徴とする請求項１に記載の画像形成装置。
【請求項３】
前記第１のセンサ及び前記第２のセンサの両方が検知したときに、レジストローラを逆回転させて前記上流側の用紙をレジスト側まで戻すとともに、搬送ローラを正回転させて前記下流側の用紙を排出側に送り出すようにして成ることを特徴とする請求項２に記載の画像形成装置。
【請求項４】
前記排出側の用紙と前記レジスト側の用紙の枚数、或いは前記像担持体から見て下流側の用紙と上流側の用紙の枚数を、それぞれ表示することを特徴とする請求項１〜請求項３のいずれかに記載の画像形成装置。
【発明の詳細な説明】
【技術分野】
【０００１】
本発明は、用紙に画像を形成する画像形成装置に関するものである。
【背景技術】
【０００２】
従来より、感光体ドラム等より成る像担持体上に形成された可視像を、用紙に転写して記録を行う、複写機やプリンタ等の画像形成装置が知られている。このような画像形成装置においては、例えば複写機の場合、複写動作中に紙詰まりが生じたときは、その複写動作は中止され、使用者が搬送路上の用紙をすべて取り除かないと、複写動作に復帰できない構成となっている。この場合、用紙が搬送路のどの辺りに詰まっているかを検知し、画面上で図示するものもある。
【０００３】
その他、ジャム処理時にユーザが、検知センサがない位置の転写紙を除去し忘れた場合においても、その転写紙を検知センサが存在する位置まで送り、ジャム処理忘れを検知する構成のものが開示されている（例えば、特許文献１参照。）。また、紙詰まりなどによる複写動作の中止時に、レジスト部付近で停止している未複写用紙を再利用可能とした構成のものが開示されている（例えば、特許文献２参照。）。また、ジャム状態の悪化を防止できるとともに、ジャム紙の除去性及び操作性を向上させて、作業者の誤操作を防止できる構成のものが開示されている（例えば、特許文献３参照。）。
【特許文献１】特開平９−９０８２４号公報
【特許文献２】特開平１１−２４９５０６号公報
【特許文献３】特開２００２−１８９３９８号公報
【発明の開示】
【発明が解決しようとする課題】
【０００４】
しかしながら、上述したような従来の構成では、連続給紙中に紙詰まりが生じた場合は、搬送路上に複数枚の用紙が停止することとなる。特に、高速複写機等では、一度紙詰まりが生じてしまうと、かなりの枚数の用紙が搬送路上に残存してしまう。このような場合、例えば帯電部，現像部，転写部等、様々な各プロセスユニットを装置本体から引き出して、紙詰まりを解除してから作業を進めなくてはならず、煩雑な動作が必要である。
【０００５】
その上、装置内部で停止した用紙の枚数は不明であるため、用紙が完全に取り除かれていないのにカバー閉等の復帰動作を始めようとして、再度やり直しになるといった不具合が発生することがある。また、用紙の停止位置が表示される場合でも、正確な位置は分からず、また停止した用紙が検知されないときもある。
【０００６】
本発明は、このような問題点に鑑み、簡単な構成で、紙詰まりの解除を容易にできるようにした画像形成装置を提供することを目的とする。
【課題を解決するための手段】
【０００７】
上記目的を達成するために、本発明では、像担持体上に形成された像を用紙に転写して記録を行う画像形成装置において、前記用紙の搬送路上で紙詰まりが生じたときに、前記像担持体より搬送方向に対して上流側にある前記用紙はレジスト側に戻し、前記像担持体より搬送方向に対して下流側にある前記用紙は排出側に送り出すようにして成ることを特徴とする。
【０００８】
また、前記像担持体の上流側にある前記用紙を検知する第１のセンサと、前記像担持体の下流側にある前記用紙を検知する第２のセンサとを備え、前記第１のセンサが検知したときに、レジストローラを逆回転させて前記上流側の用紙をレジスト側まで戻し、前記第２のセンサが検知したときに、搬送ローラを正回転させて前記下流側の用紙を排出側に送り出すようにして成ることを特徴とする。
【０００９】
さらに、前記第１のセンサ及び前記第２のセンサの両方が検知したときに、レジストローラを逆回転させて前記上流側の用紙をレジスト側まで戻すとともに、搬送ローラを正回転させて前記下流側の用紙を排出側に送り出すようにして成ることを特徴とする。
【００１０】
その他、前記排出側の用紙と前記レジスト側の用紙の枚数、或いは前記像担持体から見て下流側の用紙と上流側の用紙の枚数を、それぞれ表示することを特徴とする。
【発明の効果】
【００１１】
本発明によれば、簡単な構成で、紙詰まりの解除を容易にできるようにした画像形成装置を提供することができる。具体的には、転写した用紙と未転写の用紙を区別して、紙詰まりの処理を行うことが可能になる。また、再生可能な用紙の枚数と再生不可能な用紙の枚数を使用者が判断することができる。
【発明を実施するための最良の形態】
【００１２】
以下、本発明の実施の形態について、図面を参照しながら説明する。本発明の画像形成装置は、搬送路上の用紙を検知する検知手段と、本体の複写動作を制御する制御手段を有している。そして、搬送路上で紙詰まりが発生したときに、前記制御手段が複写動作を中止し、前記検知手段により搬送路上に停止している用紙の位置を求める。このとき、用紙位置が像担持体より搬送方向に対して上流側にある場合、即ちレジストローラ近傍にあるレジストセンサのみが検知している場合は、レジストローラを逆回転させて用紙をレジスト部まで戻す。
【００１３】
また、用紙位置が像担持体より搬送方向に対して下流側にある場合、即ち転写後搬送路に設けた転写後搬送路センサのみが検知している場合は、転写後搬送路に設けた搬送ローラにより用紙を排出側に送り出す。また、転写後搬送路センサ及び前記レジストセンサの両方が検知している場合は、上流側の用紙はレジストローラを逆回転させてレジスト部まで戻し、下流側の用紙は搬送ローラにより排出側に送り出す構成としている。
【実施例１】
【００１４】
図１は、本発明の実施例１に係る画像形成装置の縦断面図であり、複写機の例を示している。同図に示すように、本体１上部には原稿載置ガラス３と、これを開閉する原稿カバー２が設けられている。また、原稿載置ガラス３の下方には、その原稿載置ガラス３に載置された原稿（不図示）の画像情報を読み取る画像情報読取部１０が配置されている。画像情報読取部１０には、光源１１，可動ミラー１２〜１４，固定レンズ１５，及び固定ミラー１６〜１８が備えられている。
【００１５】
光源１１及び可動ミラー１２〜１４は、原稿載置ガラス３の下方位置に往復動作可能に配設され、光源１１が原稿載置ガラス３上の原稿を照射する。その反射光が可動ミラー１２〜１４，固定レンズ１５，及び固定ミラー１６〜１８から成る光学系を介して、後述する画像担持部３０における感光体ドラム３１上の露光部３３に至る。なお、本体１内には、画像情報読取部１０の下方に画像担持部３０及び定着部４０、更にその下方にレジスト部２０及び給紙部５０等が備えられている。
【００１６】
画像担持部３０には、像担持体としての感光体ドラム３１が配置されており、感光体ドラム３１には帯電部３２により一様の帯電が付与され、露光部３３において上記原稿からの画像情報を感光体ドラム３１の周面に照射し、静電潜像を形成する。静電潜像は現像部３４により現像され、トナー像を形成する。そして、感光体ドラム３１の回転に同期して、用紙を転写部３５に送り込み、トナー像を転写する。その後、感光体ドラム３１から用紙を分離し、転写後搬送路である搬送路Ｂに設けた搬送ローラ対３６により、次工程の定着部４０へ搬送する。なお、搬送ローラ対３６近傍には、用紙の検知手段である転写後搬送路センサ３９が設けられている。転写後搬送路センサ３９としては、例えば反射型のフォトインタラプタ等が用いられる。
【００１７】
また、感光体ドラム３１の周囲には、クリーニング部３７が配置され、ここで転写後の感光体ドラム３１の表面を清掃する。続いて除電部３８により除電した後、次の像形成のために再度帯電部３２で帯電する。一方、定着部４０は、一対の定着ローラ４１，４２を有しており、これにより用紙を加熱，加圧してトナー像を定着する。定着後、一対の排紙ローラ４３，４４により用紙を排出部４５へ排出する。
【００１８】
給紙部５０には、複数の給紙段部５１ａ，５１ｂ，及び５１ｃが設けられ、本実施例ではそれぞれ上段，中段，及び下段に配設されている。また、給紙段部５１ａ，５１ｂ，及び５１ｃには、それぞれ用紙を収納するトレー５２ａ，５２ｂ，及び５２ｃが配設されている。給紙段部５１ａ，５１ｂ，及び５１ｃの用紙の上面には、それぞれ給紙ローラ５３ａ，５３ｂ，及び５３ｃが配設され、用紙を間欠的に送り出す。各給紙ローラ５３ａ，５３ｂ，及び５３ｃの前段には、それぞれ重送防止ローラ対５４ａ，５４ｂ，及び５４ｃが配設され、用紙を１枚ずつ搬送路Ａに搬送する。搬送路Ａには、搬送手段を構成する搬送ローラ対５５ａ，５５ｂ，及び５５ｃがそれぞれ配設されている。
【００１９】
搬送路Ａからの用紙が搬送されるレジスト部２０には、レジストローラ対２１とフィードローラ対２２が配設されており、レジストローラ対２１近傍には、用紙の検知手段であるレジストセンサ２３が設けられている。レジストセンサ２３としては、例えば反射型のフォトインタラプタ等が用いられる。レジストローラ対２１とフィードローラ対２２は、それぞれ独立して駆動される。搬送される用紙は、レジストローラ対２１に突き当て、像担持体上の画像と用紙の位置合わせを行い、且つ用紙のスキューを補正するために強制的にスプールを形成し、このスプールを解消するようにして画像担持部３０へ供給する。
【００２０】
本実施例では、上述したように、搬送路上の用紙を検知する検知手段であるレジストセンサ２３及び転写後搬送路センサ３９と、本体の複写動作を制御する図示しない制御手段を有している。そして、搬送路上で紙詰まりが発生したときに、前記制御手段が複写動作を中止し、前記検知手段により搬送路上に停止している用紙の位置を求める。このとき、用紙位置が像担持体である感光体ドラム３１より搬送方向に対して上流側にある場合、即ちレジストローラ対２１近傍にあるレジストセンサ２３のみが検知している場合は、レジストローラ対２１を逆回転させて用紙をレジスト部２０まで戻す。
【００２１】
また、用紙位置が感光体ドラム３１より搬送方向に対して下流側にある場合、即ち転写後搬送路である搬送路Ｂに設けた転写後搬送路センサ３９のみが検知している場合は、搬送路Ｂに設けた搬送ローラ対３６により用紙を排出側に送り出す。また、転写後搬送路センサ３９及び前記レジストセンサ２３の両方が検知している場合は、上流側の用紙はレジストローラ対２１を逆回転させてレジスト部２０まで戻し、下流側の用紙は搬送ローラ対３６により排出側に送り出す構成としている。
【００２２】
図２は、本実施例における複写動作の制御内容を示すフローチャートである。同図において、複写がスタートすると、まず、ステップＳ５において、紙詰まりの有無を判定する。紙詰まりがあればステップＳ１０へ移行し、複写動作を停止する。続いてステップＳ１５に移行し、レジストセンサ２３が検知しているか否かを判定する。レジストセンサ２３が検知していなければステップＳ２０に移行し、転写後搬送路センサ３９が検知しているか否かを判定する。転写後搬送路センサ３９が検知していなければステップＳ２５に移行し、紙詰まりのタイミングや給紙枚数及び排紙枚数等より、搬送路上に停止している用紙の枚数を求めて、図示しない例えば操作部の表示パネル上に表示する。続いてステップＳ３０に移行し、使用者が搬送路上の用紙を除去してステップＳ５に戻る。
【００２３】
また、ステップＳ５において、紙詰まりがなければステップＳ３５に移行し、通常動作を行って終了する。また、ステップＳ１５において、レジストセンサ２３が検知していればステップＳ４０に移行し、転写後搬送路センサ３９が検知しているか否かを判定する。転写後搬送路センサ３９が検知していなければステップＳ４５に移行し、レジストローラ対２１を逆回転させてレジストローラ逆送を行う。続いてステップＳ２５に移行する。
【００２４】
また、ステップＳ４０において、転写後搬送路センサ３９が検知していればステップＳ５０に移行し、レジストローラ対２１を逆回転させてレジストローラ逆送を行い、続いてステップＳ５５に移行し、搬送ローラ対３６を正回転させて搬送ローラ順送を行う。そしてステップ２５に移行する。また、ステップＳ２０において、転写後搬送路センサ３９が検知していればステップＳ６０に移行し、搬送ローラ対３６を正回転させて搬送ローラ順送を行う。続いてステップＳ２５に移行する。
【００２５】
以上のような制御内容の複写動作を行うことにより、転写した用紙と未転写の用紙を区別して、紙詰まりの処理を行うことが可能になる。また、上記ステップＳ２５において用紙停止枚数の表示を行う際に、転写した用紙と未転写の用紙、言い替えれば排出側の用紙とレジスト側の用紙、或いは像担持体から見て下流側の用紙と上流側の用紙を区別して表示させることにより、再生可能な用紙の枚数と再生不可能な用紙の枚数を使用者が判断することができる。
【００２６】
なお、特許請求の範囲で言う第１のセンサは、実施例におけるレジストセンサに対応しており、第２のセンサは転写後搬送路センサに対応している。
【産業上の利用可能性】
【００２７】
本発明は、実施例として複写機について説明したが、これに限定されるものではなく、プリンタやファクシミリ等で用紙の搬送路が像担持体の前後に設けられているものであれば、いずれの装置にも適用可能である。
【図面の簡単な説明】
【００２８】
【図１】本発明の実施例１に係る画像形成装置の縦断面図。
【図２】本実施例における複写動作の制御内容を示すフローチャート。
【符号の説明】
【００２９】
１    本体
２    原稿カバー
３    原稿載置ガラス
１０    画像情報読取部
１１    光源
１２〜１４    可動ミラー
１５    固定レンズ
１６〜１８    固定ミラー
２０    レジスト部
２１    レジストローラ対
２２    フィードローラ対
２３    レジストセンサ
３０    画像担持部
３１    感光体ドラム
３２    帯電部
３３    露光部
３４    現像部
３５    転写部
３６    搬送ローラ対
３７    クリーニング部
３８    除電部
３９    転写後搬送路センサ
４０    定着部
４１，４２    定着ローラ
４３，４４    排紙ローラ
４５    排出部
５０    給紙部
５１ａ，５１ｂ，５１ｃ    給紙段部
５２ａ，５２ｂ，５２ｃ    トレー
５３ａ，５３ｂ，５３ｃ    給紙ローラ
５４ａ，５４ｂ，５４ｃ    重送防止ローラ対
５５ａ，５５ｂ，５５ｃ    搬送ローラ対
Ａ，Ｂ    搬送路
【図１】
2005091739.tif 000003
【図２】
2005091739.tif 000004